(57)【特許請求の範囲】
【請求項１】
室内の床（Ｆ）に配置される床置き形空気調和機であって、
ケーシング（４）と、
前記ケーシング（４）内の上部に配置された熱交換器（２）と、
正面視において横方向（Ｄ１）に離れて配置される第１吹出し口（５１）と第２吹出し口（５２）とを少なくとも有し、前記熱交換器の前方に配置され、前記熱交換器（２）を通り調和された空気が吹出す吹出し部（５）と、
前記ケーシング（４）内において前記熱交換器（２）の下方に配置され、床置き形空気調和機内の正面と平行な面内で回転して周方向に空気を吹出すことにより、前記空気を上方の前記熱交換器を通って前記吹出し部（５）へと送るファン（３）と、
前記熱交換器（２）と前記吹出し部（５）との間に配置され、前記ファン（３）により前記吹出し部（５）へと送られる空気を前記第１吹出し口（５１）と前記第２吹出し口（５２）とに略均等に分配する分配ガイド（９）と、
を備え、
前記第１吹出し口（５１）は、前記ファン（３）の回転方向側に配置され、
前記第２吹出し口（５２）は、前記ファン（３）の回転方向と反対側に配置され、
前記分配ガイド（９）は、
前記第１吹出し口（５１）へと送られる前記空気が通る第１通風経路（Ｐ１）を形成する第１ガイド面（９１）と、
前記第２吹出し口（５２）へと送られる前記空気が通る第２通風経路（Ｐ２）を形成する第２ガイド面（９２）と、
を有し、
前記第２通風経路（Ｐ２）の入口は前記第１通風経路（Ｐ１）の入口より広く、且つ、上方ほど前記第２通風経路（Ｐ２）は狭く前記第１通風経路（Ｐ１）は広く形成される、
床置き形空気調和機。
【請求項２】
前記分配ガイド（９）は、下方に行くにつれて、前記第２吹出し口（５２）側から前記第１吹出し口（５１）側へと頂点（９３）が傾斜する山形断面形状を有する、
請求項１に記載の床置き形空気調和機。
【請求項３】
前記吹出し部（５）へと送られる空気が通るファンケーシング出口（３１）を有し前記ファン（３）の側面を囲むファンケーシング（３０）をさらに備え、
前記ファンケーシング出口（３１）は、前記ファン（３）の側面の一部に対向し前記ファン（３）の中心から横方向（Ｄ１）に偏心して設けられ、
前記第１吹出し口（５１）は、前記ファンケーシング出口（３１）側の反対側に配置され、
前記第２吹出し口（５２）は、前記ファンケーシング出口（３１）側に配置され、
前記分配ガイド（９）は、下方に行くにつれて、前記第２吹出し口（５２）側から前記第１吹出し口（５１）側へと頂点（９３）が傾斜する山形断面形状を有する、
請求項１に記載の床置き形空気調和機。
【請求項４】
前記ケーシング（４）は、前記熱交換器（２）と対向し正面を覆う前面パネル（４３）を有し、
前記分配ガイド（９）は、断熱性の材料で形成され、前記熱交換器（２）と前記前面パネル（４３）との間に配置される、
請求項１から３のいずれかに記載の床置き形空気調和機。
【発明の詳細な説明】
【０００１】
【発明の属する技術分野】
本発明は、室内の床に配置される床置き形空気調和機に関する。
【０００２】
【従来の技術】
調和された空気を室内へと吹出して室内の空気調和を行う空気調和機の１つに、いわゆる、床置き形空気調和機がある。この床置き形空気調和機は、室内の床に設置されるタイプの空気調和機であり、例えば、図１５の上面、正面及び側面図に示すようなものが利用されている。この床置き形空気調和機１００は、主として、ケーシング、熱交換器２およびファン３により構成されている。熱交換器２は、ケーシング内の上部に斜めに傾斜して収容されている。ケーシングの前面の上部には吹出し口１１０が設けられている。吹出し口１１０は、調和された空気がケーシング内から室内へ吹出す部分であり、ケーシングの前面の側端部付近から反対側の側端部付近までに渡って横方向に１つ設けられている。また、ケーシングの前面の下部には吸込み口が設けられている。吸込み口は、室内の空気を吸込む部分であり、吹出し口と同様に１つ設けられている。ファン３は、熱交換器２の下方に配置されており、モータ等の駆動手段により駆動され室内の空気を吸込み口からケーシング内へ取り入れ、熱交換器２を通った空気を吹出し口１１０から室内へと送る。
【０００３】
【発明が解決しようとする課題】
上記の様な床置き形空気調和機では、吹出し口がケーシングの前面の側端部付近から反対側の側端部付近までに渡って横方向に１つ設けられているため、室内全体へ十分に空気を行き届かせることが困難である。すなわち、吹出し口が横方向に１つだけ設けられているため、空気が吹出す方向は吹出し口全体として１方向に限られてしまうことが多い。このため、空気が吹出す方向が右方向のみ、あるいは左方向のみとなりやすく吹出し方向に偏りが生じやすい。これでは、室内全体に十分に空気を行き届かせることは困難である。この場合、室内の温度分布にも偏りが生じ易くなってしまい、室内で均一な温度分布を実現することは困難である。
【０００４】
このため、本願出願人は、横方向に配置される複数の吹出し口を有する吹出し部を備える床置き形空気調和機を案出している。この床置き形空気調和機によれば、複数の吹出し口からそれぞれ横方向の異なる方向に容易に空気を吹出すことができるため、吹出した空気を室内全体に十分に行き届かせることができる。
【０００５】
しかし、このような床置き形空気調和機の場合、ファンの種類やファンが配置される方向等によっては、吹出し部から吹出す空気の風量に偏りが生じることがある。すなわち、ファンから吹出す空気の流れがファンの回転の影響を受けて横方向に偏る結果、吹出す風量の多い吹出し口と少ない吹出し口とが生じることがある。この場合、上記のような、吹出した空気を室内全体に十分に行き届かせる効果を低減させる恐れがある。
【０００６】
また、このような現象は、従来の床置き形空気調和機においても発生しうる。すなわち、吹出し口の部分によっては、吹出す空気の風量に偏りが生じうる。この場合も、室内全体に十分に空気を行き届かせることは困難である。
【０００７】
本発明の課題は、吹出す空気の風量の偏りを低減させることができる床置き形空気調和機を提供することにある。
【０００８】
【課題を解決するための手段】
請求項１に記載の床置き形空気調和機は、室内の床に配置される床置き形空気調和機であって、ケーシングと熱交換器と吹出し部とファンと分配ガイドとを備える。熱交換器は、ケーシング内の上部に配置される。吹出し部は、正面視において横方向に離れて配置される第１吹出し口と第２吹出し口とを少なくとも有し、熱交換器の前方に配置され、熱交換器を通り調和された空気が吹出す。ファンは、ケーシング内において熱交換器の下方に配置され、床置き形空気調和機内の正面と平行な面内で回転して周方向に空気を吹出すことにより、空気を上方の熱交換器を通って吹出し部へと送る。分配ガイドは、熱交換器と吹出し部との間に配置され、ファンにより吹出し部へと送られる空気を第１吹出し口と第２吹出し口とに略均等に分配する。第１吹出し口は、ファンの回転方向側に配置され、第２吹出し口は、ファンの回転方向と反対側に配置される。分配ガイドは、第１吹出し口へと送られる空気が通る第１通風経路を形成する第１ガイド面と、第２吹出し口へと送られる空気が通る第２通風経路を形成する第２ガイド面と、を有する。そして、第２通風経路の入口は第１通風経路の入口より広く、且つ、上方ほど第２通風経路は狭く第１通風経路は広く形成される。
【０００９】
なお、ここでいうファンの回転方向側とは、ファンから送られる空気の進行方向がファンの回転による影響を受けて傾く側をいう。例えば、正面視において左周りに回転しているファンでは、ファンの上方へ吹出す空気の流れは左側に傾きやすい。従って、この場合の回転方向とは左側をいう。
【００１０】
この床置き形空気調和機では、分配ガイドは第１吹出し口と第２吹出し口とに概ね均等に空気を分配する。このため、この床置き形空気調和機は、第１吹出し口と第２吹出し口とから吹出す空気の風量を概ね均等にすることができる。これにより、この床置き形空気調和機では、第１吹出し口と第２吹出し口とにおいて吹出す空気の風量の偏りを低減させることができる。
【００１１】
特に、第１吹出し口がファンの回転方向側に配置され、第２吹出し口がファンの回転方向と反対側に配置されると、ファンの回転による空気の流れの傾きのため、ファンから送られる空気は第１吹出し口へ送られやすい。そこで、この床置き形空気調和機では、分配ガイドにより、第１通風経路と第２通風経路とが、第２通風経路の入口が第１通風経路の入口より広くなるように形成される。このため、第２通風経路には、第１通風経路よりも空気が入り易くなる。また、第２通風経路には、送られる空気が少ない側に配置される第２吹出し口へと送られる空気が通る。しかし、上記のように、第２通風経路には第１通風経路よりも空気が入り易くなるため釣り合いが取られて、第１吹出し口と第２吹出し口とから吹出す空気の風量を概ね均等にすることができる。
【００１２】
請求項２に記載の床置き形空気調和機は、請求項１に記載の床置き形空気調和機であって、分配ガイドは、下方に行くにつれて、第２吹出し口側から第１吹出し口側へと頂点が傾斜する山形断面形状を有する。
【００１３】
この床置き形空気調和機では、分配ガイドの頂点が下方に行くにつれて第２吹出し口側から第１吹出し口側へと傾斜する。このため、ファンから送られる空気の流れの上流において、第１吹出し口側では空気が案内されにくくなり、第２吹出し口側では逆に空気が案内されやすくなっている。これにより、この床置き形空気調和機は、ファンから送られる空気の風量の釣り合いを分配ガイドによりとり、第１吹出し口と第２吹出し口とから吹出す空気の風量を概ね均等にすることができる。
【００１４】
請求項３に記載の床置き形空気調和機は、請求項１に記載の床置き形空気調和機であって、ファンケーシングをさらに備える。ファンケーシングは、吹出し部へと送られる空気が通るファンケーシング出口を有し、ファンの側面を囲む。ファンケーシング出口は、ファンの側面の一部に対向し、ファンの中心から横方向に偏心して設けられる。第１吹出し口は、ファンケーシング出口側の反対側に配置される。第２吹出し口は、ファンケーシング出口側に配置される。そして、分配ガイドは、下方に行くにつれて、第２吹出し口側から第１吹出し口側へと頂点が傾斜する山形断面形状を有する。
【００１５】
ファンケーシング出口を通ってファンから送られる空気は、ファンケーシング出口を出たあと、ファンの回転の影響を受け、ファンケーシング出口が偏心して設けられている側から、その反対側へと傾いて進みやすい。このため、ファンケーシング出口側の反対側に配置される第１吹出し口とファンケーシング出口側に配置される第２吹出し口とでは、第１吹出し口へと進む空気の風量が多くなりやすい。しかし、この床置き形空気調和機では、分配ガイドの頂点は、下方すなわちファンから送られる空気の上流に行くにつれて、第２吹出し口側から前記第１吹出し口側へと頂点が傾斜する。このため、上流において、第１吹出し口側では空気が案内されにくくなり、第２吹出し口側では逆に空気が案内されやすくなっている。これにより、この床置き形空気調和機は、ファンから送られる空気の風量の釣り合いを分配ガイドによりとり、第１吹出し口と第２吹出し口とから吹出す空気の風量を概ね均等にすることができる。
【００１６】
請求項４に記載の床置き形空気調和機は、請求項１から３のいずれかに記載の床置き形空気調和機であって、ケーシングは、熱交換器と対向し正面を覆う前面パネルを有する。そして、分配ガイドは、断熱性の材料で形成され、熱交換器と前面パネルとの間に配置される。
【００１７】
この床置き形空気調和機では、分配ガイドは、断熱性の材料で形成され、熱交換器と前面パネルとの間に配置される。このため、分配ガイドは、床置き形空気調和機の外部と内部との間での熱の出入りを低減することができる。これにより、この床置き形空気調和機では、分配ガイドが断熱材を兼ねることができ、部品点数の削減を図ることができる。
【００１８】
【発明の実施の形態】
［第１実施形態］
〈構成〉
〔全体構成〕
本発明の第１実施形態が採用された床置き形空気調和機１の外観の正面図を図１に示す。
【００１９】
この床置き形空気調和機１は、家庭の室内の床Ｆに設置される空気調和機であり、室内の空気調和を行う。床置き形空気調和機１は、室外に配置される室外機（図示せず）と接続されており、室外機に収容される図示しない圧縮機や室外熱交換器との間で冷媒回路を構成する。
【００２０】
図２に床置き形空気調和機１の構成を示す正面図を、図３に上面図を、図４に側面図を示す。以下、「上下方向」というときは、図１及び図２の正面視における上下方向すなわち室内における高さ方向をいうものとし（実線矢印Ｄ２参照）、「左右方向」あるいは「横方向」というときは、図１及び図２の正面視における左右方向をいうものとする（実線矢印Ｄ１参照）。また、厚さ方向とは、図３、図４などに示す実線矢印Ｄ３で示す方向をいうものとする。
【００２１】
この床置き形空気調和機１は、主として、熱交換器２、ファン３、ケーシング４、分配ガイド９により構成されている。
【００２２】
〔熱交換器２〕
熱交換器２は、ケーシング４の内部に収容されており、ケーシング４内に取り込まれた空気との間で熱交換を行う。熱交換器２は、図２に示すように、床置き形空気調和機１の上半分の位置を占め、吹出し部５と同じ高さに配置されている。また、熱交換器２は、図４に示すように、上方が床置き形空気調和機１の背面４０側へ傾斜するように設けられている。
【００２３】
〔ファン３〕
ファン３は、ケーシング４の内部に収容されている。ファン３は、室内の空気を吸込み部６（図１参照）からケーシング４内に吸込んだ後、熱交換器２に通し、吹出し部５へと送る。ファン３は、床置き形空気調和機１の正面と平行な面内で回転するように配置されたシロッコファンであり、図２に示すように、熱交換器２の下方に設けられる。また、ファン３は、図４に示すように、後述する吸込み部６の近傍に配置される。ファン３は、図２に示すように、ファンケーシング３０に収容されている。ファンケーシング３０は、ファン３の側面に沿ってファン３の円周の約４分の３を囲む円弧状の側面３２を有しており、ファン３の側面に対向するように配置されている。ファンケーシング３０は、ファン３の側面の左半分と右側の下半分を囲んでいる。また、ファンケーシング３０には、ファンケーシング出口３１が設けられている。ファンケーシング出口３１は、ファン３から上方の熱交換器２へ向けて空気が出て行く部分であり、ファンケーシング３０に囲まれていないファン３の右側の上半分に面する位置に配置されている。ケーシング出口３１は、ファン３の回転中心から右方向に偏心して設けられる。なお、ファン３は、図２において左回りに回転して熱交換器２へと空気を送る（図２の白抜き矢印Ａ１及び実線矢印Ａ２参照）。
【００２４】
〔ケーシング４〕
ケーシング４は、熱交換器２やファン３などを収容する、上下方向Ｄ２に長い箱状の部材である。ケーシング４は、図３に示すように、背面４０の角４２が面取りされている。ケーシング４の前面４１は、前面パネル４３、窪み部４４、傾斜面４５を有する形状となっている。また、ケーシング４は、図１に示すように、吹出し部５、吸込み部６、水平フラップ部７および垂直フラップ部８を備えている。
【００２５】
まず、前面４１の形状について説明した後、吹出し部５、吸込み部６、水平フラップ部７および垂直フラップ部８について説明する。
【００２６】
前面パネル４３は、ケーシング４の前面にケーシング４の上下方向Ｄ２の概ね全体に渡って設けられる平坦な部分である。また、前面パネル４３の上部には、表示部４６が設けられている。表示部４６は、室内温度、室外温度や運転の設定などの情報を表示する。
【００２７】
窪み部４４は、前面パネル４３の側端に沿って設けられた上下方向Ｄ２に長い窪みであり、前面パネル４３の両側にそれぞれ設けられている。窪み部４４は、側面４４０と曲面４４１とにより構成されている。側面４４０は、前面パネル４３と連続しており、前面パネル４３に垂直に設けられている。曲面４４１は、側面４４０と連続しており、さらに傾斜面４５と連続している。
【００２８】
傾斜面４５は、窪み部４４の側方に隣接し前面の上下方向Ｄ２全体に渡って設けられた傾斜した面である。傾斜面４５は、前面４１の両側端にそれぞれ設けられている。
【００２９】
＜吹出し部５＞
吹出し部５は、ケーシング４の前面４１の上半分に設けられており、熱交換器２により熱交換された空気が吹出す。吹出し部５は、第１吹出し口５１と第２吹出し口５２とにより構成されている。
【００３０】
第１吹出し口５１と第２吹出し口５２とは、前面４１の両側端に沿って設けられた高さ方向Ｄ２に長い形状を有する長方形の開口である。第１吹出し口５１と第２吹出し口５２とは、傾斜面４５の上半分に設けられており、前面パネル４３と窪み部４４を隔てて、左側に第１吹出し口５１が設けられ、右側に第２吹出し口５２が設けられている。各吹出し口５１，５２は、図５に示すように、仕切り板５０により上部Ｓ１、中部Ｓ２および下部Ｓ３の３つに分けられている。
【００３１】
なお、吹出し部５を構成する吹出し口は、第１吹出し口５１と第２吹出し口５２に限られず、２以上の横方向Ｄ１に距離を隔てて配置される吹出し口であってもよい。例えば、上下方向Ｄ２に２以上の吹出し口が両傾斜面４５に沿って配置されてもよく、横方向Ｄ１に２以上隣接して設けられる吹出し口のセットが横方向Ｄ１に距離を隔てて設けられてもよい。
【００３２】
＜吸込み部６＞
吸込み部６は、室内の空気をケーシング４内へと吸込む部分であり、図１に示すように、ケーシング４の前面４１の下半分に設けられている。吸込み部６は、第１吸込み口６１、第２吸込み口６２および側面吸込み口６６，６７により構成される。
【００３３】
第１吸込み口６１と第２吸込み口６２とは、窪み部４４の側面４４０に設けられた開口であり、左側の窪み部４４に第１吸込み口６１が右側の窪み部４４に第２吸込み口６２が設けられている。第１吸込み口６１は、図４に示すように、３つの開口６３，６４，６５により構成されており、上下方向Ｄ２に並んで配置されている。最も上に配置される開口６３は、ファン３よりも高い位置に配置され、他の２つの開口６４，６５は、ファン３より低い位置に配置されている。すなわち、第１吸込み口６１は、ファン３に対向しない位置に配置されている。第２吸込み口６２についても同様である。なお、各吸込み口６１，６２が配置される位置は、ファン３に厳密に対向しない位置に限られず、各吸込み口６１，６２の一部がファン３にかかる程度の位置に配置されてもよい。さらに、各吸込み口６１，６２はファン３の上下に分けて配置される場合に限らず、上方向にのみ、あるいは下方向にのみ配置されてもよい。
【００３４】
側面吸込み口６６，６７は、それぞれ床置き形空気調和機１の側面４７の下方にそれぞれ設けられる、図４に示すような上下方向（Ｄ２）に長い開口である。側面吸込み口６６，６７は、幅方向（Ｄ３）でいえばファン３と前面４１との間に位置している。なお、図４においては、正面視において左側の側面４７に設けられている側面吸込み口６６を図示しているが、右側の側面４７に設けられる側面吸込み口６７についても同様である。
【００３５】
なお、第１吸込み口、第２吸込み口および側面吸込み口６６，６７に対向して、ケーシング４の下方を覆うフィルタ（図示せず）が設けられている。
【００３６】
＜水平フラップ部７＞
水平フラップ部７の構成を示す正面図を図５に、側面図を図６に示す。
【００３７】
水平フラップ部７は、図６に示すように、メインフラップ７０とサブフラップ７１とフラップ駆動機構７２とにより構成される。
【００３８】
メインフラップ７０は、図５に示すように、第１吹出し口５１と第２吹出し口５２との両方に上下方向Ｄ２に複数設けられ、各吹出し口５１，５２から吹出す空気を上下方向Ｄ２に案内する。本実施形態では、各吹出し口５１，５２の上部Ｓ１、中部Ｓ２、下部Ｓ３に、それぞれ上下方向Ｄ２に４枚ずつ、１つの吹出し口で合計１２枚のメインフラップ７０が設けられている。メインフラップ７０は、弾性材により形成されており、薄い長方形形状を有する。メインフラップ７０は、概ね水平に配置されており、その背面４０側が固定されている。
【００３９】
なお、メインフラップ７０は、全体が弾性材により形成される場合に限らず、中央部分などメインフラップ７０の一部分が弾性材により形成されていてもよい。また、メインフラップ７０は、弾性材により形成されていなくても、メインフラップ７０を薄肉の形状に形成するなどして弾性を持たせるようにしたものであってもよい。
【００４０】
フラップ駆動機構７２は、メインフラップ７０を湾曲させることによりメインフラップ７０による空気の案内方向を変更する機構であり、複数のメインフラップ７０を繋ぐリンク機構７３と駆動装置（図示せず）とにより構成される。リンク機構７３は、図６に示すように、複数のメインフラップ７０の先端付近に固定される棒状の部材であり、上下方向Ｄ２に移動することにより複数のメインフラップ７０の先端を一体的に上下に移動させる。駆動装置は、リンク機構７３を上下に移動させる。
【００４１】
なお、フラップ駆動機構７２は、メインフラップ７０を湾曲させるものに限らず、メインフラップ７０を横方向Ｄ１に平行な軸を中心に回転させるものであってもよい。この場合、メインフラップ７０は、湾曲しないものであってもよく、回転することにより、空気の案内方向を変える。
【００４２】
サブフラップ７１は、各吹出し口５１，５２の上部Ｓ１に配置されたメインフラップ７０に取り付けられており、暖房時に吹出し部５の上部Ｓ１からの吹出しを制限する。なお、図６では、第２吹出し口５２に配置されたサブフラップ７１を示している。サブフラップ７１は、メインフラップ７０と概ね同じ横方向の長さを有するくの字型に折れ曲がった板状部材であり、メインフラップ７０の上側に、一端７１０がメインフラップ７０の中ほどから突出するように、他端７１１がメインフラップ７０の先端に沿うように設けられている。また、サブフラップ７１の一端７１０は、メインフラップ７０に対して上下方向Ｄ２にメインフラップ７０の先端に対して鈍角をなすように設けられている。サブフラップ７１は、図７に示すように、メインフラップ７０がフラップ駆動機構７２により下方向に湾曲した場合に、隣接するメインフラップ７０の先端７００に一端７１０が近接することにより、隣接するメインフラップ７０との間を閉じる。メインフラップ７０が上方へ向いた場合は、図８に示すように、サブフラップ７１の一端７１０が、メインフラップ７０に沿うような状態になる。この場合、サブフラップ７１の一端７１０は、隣接するメインフラップ７０との間を開くことにより、各吹出し口５１，５２の上部Ｓ１を開く。
【００４３】
なお、サブフラップ７１は、くの字型に折れ曲がった板状部材に限らず、長方形の板状部材をメインフラップ７０に対して所定の角度で取り付けたのもの、あるいは、メインフラップ７０と一体に形成されたものであってもよい。
【００４４】
＜垂直フラップ部８＞
垂直フラップ部８は、吹出し部５から吹出す空気を横方向Ｄ１に案内する部分であり、垂直フラップ８０とフラップ角度変更機構８１とにより構成される。
【００４５】
垂直フラップ８０は、図１に示すように、第１吹出し口５１と第２吹出し口５２にそれぞれ設けられ、各吹出し口５１，５２から吹出す空気を横方向Ｄ１に案内する。垂直フラップ８０は、各吹出し口５１，５２とほぼ同一形状の板状部材により構成される。なお、図１は、垂直フラップ８０が各吹出し口５１，５２を閉じた状態を示している。垂直フラップ８０は、図３に示すように、鉛直方向に平行な回転軸８００を中心に水平面内で回動自在に配置されている。
【００４６】
フラップ角度変更機構８１は、垂直フラップ８０の配置角度を変更する機構であり、フラップモータ８２とスイッチ（図示せず）とにより構成されている。フラップモータ８２は、フラップを回転させる。スイッチは、フラップモータ８２により垂直フラップ８０の配置角度を切替えて、吹出す空気の案内方向の広狭を設定する。
【００４７】
〔分配ガイド９〕
分配ガイド９は、図２に示すように、ケーシング４の上半分に設けられ、第１吹出し口５１と第２吹出し口５２とに均等に空気を分配する。分配ガイド９は、図３に示すように、熱交換器２と前面パネル４３との間に配置され、第１ガイド面９１と第２ガイド面９２とを有する山形断面形状を有する。第１ガイド面９１は、第１吹出し口５１へと送られる空気が通る第１通風経路Ｐ１を形成する。第２ガイド面９２は、第２吹出し口５２へと送られる空気が通る第２通風経路Ｐ２を形成する。第１ガイド面９１と第２ガイド面９２とが接合する頂点９３は、熱交換器２側に設けられており、図２のように、床置き形空気調和機１の上方へ行くにつれて、第２吹出し口５２側の横方向Ｄ１へと傾斜する。すなわち、頂点９３は、床置き形空気調和機１の上方から下方へ行くにつれて、第１吹出し口５１側の横方向Ｄ１へと傾斜しており、第２通風経路Ｐ２の入口は第１通風経路Ｐ１の入口より広く形成されている。分配ガイド９の端部９４は前面パネル４３の裏側に接着されており、第１ガイド面９１と第２ガイド面９２と前面パネル４３の裏側とで囲まれる部分は中空となっている。また、分配ガイド９は、発泡ポリエチレンなどの断熱材により形成されている。なお、断熱材として、他にもゴム、フェノール樹脂、ポリウレタン、ポリ塩化ビニル等の発泡材や断熱性の繊維材などを用いてもよい。
【００４８】
〈動作〉
本実施形態にかかる床置き形空気調和機１の特徴的な動作について説明する。
【００４９】
〔ケーシング４内での空気の流れ〕
まず、ケーシング４内での空気の流れを図２に基づいて説明する。
【００５０】
ファン３が回転すると室内の空気が第１吸込み口６１、第２吸込み口６２および側面吸い込み口６６，６７（図１参照）からケーシング４内に取り込まれる。取り込まれた空気は、ファン３の回転により、ケーシング出口３１からファン３の上方へと送られて熱交換器２を通り、第１吹出し口５１及び第２吹出し口５２から室内へと吹出す。このファン３から上方へと送られる空気は、真直ぐ上昇するのではなく、ファン３の回転方向による影響を受けて図２における左側へと傾いて上昇する（図中白抜き矢印Ａ１参照）。ここで、第１吹出し口５１は、正面視においてファン３の左上に位置している。この位置は、ファン３から上方へ送られる空気の流れがファン３の回転の影響を受けて傾く側である。このため、上述した分配ガイド９がない場合は、左側に配置された第１吹出し口５１へと多くの空気が送られ、第２吹出し口５２へは第１吹出し口５１よりも少ない空気が送られることになる。分配ガイド９は、左側へ多く流れようとする空気を第２ガイド面９２により右寄りに案内して右側へ流れやすくする。すなわち、分配ガイド９は、第１吹出し口５１の方向へ流れる空気を第２吹出し口５２の方向へ案内する。このようにして、分配ガイド９は、空気が流れる方向のバランスをとり、第１吹出し口５１と第２吹出し口５２とへ送られる空気の風量を概ね均等にする。
【００５１】
〔上下方向への空気の吹出し〕
次に、第１吹出し口５１および第２吹出し口５２からの上下方向Ｄ２への吹出しについて説明する。
【００５２】
暖房時においては、暖かい空気を下方へと吹出すために、メインフラップ７０がフラップ駆動機構７２により自動的にあるいは手動で方向を変え、図７のように下方を向いている。このとき、各吹出し口５１，５２の上部Ｓ１に配置されているメインフラップ７０にはサブフラップ７１が設けられているため、サブフラップ７１の一端７１０が、メインフラップ７０の中ほどから上方へ突出し、１つ上に隣接するメインフラップ７０の先端７００と近接する。つまり、各メインフラップ７０の間が、突出するサブフラップ７１により塞がれた状態になる。このようにして、メインフラップ７０が下方を向いたときは、各吹出し口５１，５２の上部Ｓ１は閉じられ、空気の吹き出しが制限される。サブフラップ７１が配置されていない中部Ｓ２と下部Ｓ３とでは、空気の吹出しは制限されておらず、下方へ向けて空気が吹出す。従って、図中の実線矢印Ａ３のように、暖かい空気は、吹出し口の中部Ｓ２と下部Ｓ３とから下方へ向けて吹出し、上部Ｓ１からは吹出さない、あるいは、極わずかな風量の空気が吹出すだけである。
【００５３】
冷房時においては、冷たい空気を上方へと吹出すために、メインフラップ７０がフラップ駆動機構７２により自動的にあるいは手動で方向を変え、図８のように上方を向く。このとき、メインフラップ７０は上方へ向けて湾曲しており、上部Ｓ１においては、サブフラップ７１はメインフラップ７０に沿った状態になる。すなわち、メインフラップ７０の先端７００とサブフラップ７１の突出部分とにより形成されるくの字型の形状が、上方に向いたメインフラップ７０の湾曲と近似した状態となる。このようにして、メインフラップ７０が上方を向いたときは、各メインフラップ７０の間が開かれる。つまり、各吹出し口５１，５２の上部Ｓ１が開かれ、空気が上方へ向けて吹出す。そして、サブフラップ７１が配置されていない中部Ｓ２と下部Ｓ３とでは、当然に上方へと空気が吹出す。従って、図中の実線矢印Ａ４のように、冷たい空気は、各吹出し口５１，５２の上部Ｓ１、中部Ｓ２、下部Ｓ３のすべてから上方へ向けて吹出す。
【００５４】
〔横方向への空気の吹出し〕
次に、第１吹出し口５１および第２吹出し口５２からの横方向Ｄ１への吹出しについて説明する。
【００５５】
前述したように熱交換器２で熱交換された空気は、第１吹出し口５１と第２吹出し口５２とから室内へと吹出す。第２吹出し口５２と第２吹出し口５２とは、ケーシング４の横方向Ｄ１に距離を隔てて設けられており、各吹出し口５１，５２から横方向Ｄ１へ幅広く吹出す。
【００５６】
また、空気の吹出しの左右方向Ｄ１の角度は、あらかじめフラップ角度変更機構８１により設定することができる。フラップ角度変更機構８１は、フラップモータ８２により垂直フラップ８０の設置角度を切替えて、吹出す空気の案内方向の広狭を切替える。ここで、吹出す空気の案内方向の広狭とは、第１吹出し口５１から吹出す空気の方向と第２吹出し口５２から吹出す空気の方向とのなす角の大きさを意味する。例えば、図９（ａ）のように、床置き形空気調和機１が室内の角部分に壁に対して４５度に配置される場合には、吹出す空気の案内方向が白抜き矢印Ａ５にように壁に沿った角度になるように垂直フラップの角度を設定するとよい。また、図９（ｂ）のように、床置き形空気調和機１が部屋の側面の中央に壁に沿って配置される場合には、吹出す空気の案内方向を部屋の角に配置される場合よりも広くするとよい（白抜き矢印Ａ６参照）。また、図９（ｃ）のように、床置き形空気調和機１が部屋の隅に壁に沿って配置されるときには、吹出す空気の案内方向を白抜き矢印Ａ７のように片方の壁に合わせて壁に沿った角度にするとよい。なお、以上のような垂直フラップ８０の配置角度の切換は、フラップ角度変更機構８１のスイッチの切換により行うことができる。このように、床置き形空気調和機１は、配置される室内空間の広がりに応じて、吹出しの横方向Ｄ１の広がりを最適なものにすることができる。
【００５７】
〈特徴〉
〔第１吹出し口５１と第２吹出し口５２とに関する特徴〕
（１）本実施形態にかかる床置き形空気調和機１では、熱交換器２で熱交換された空気は、第１吹出し口５１および第２吹出し口５２とから吹出す。第１吹出し口５１と第２吹出し口５２とは、前面パネル４３と窪み部４４を隔てて前面４１の両側端に沿ってそれぞれ設けられている。このため、図１５に示すような、中央に１つ吹出し口１１０が設けられた従来型床置き形空気調和機１００と比べて、横方向Ｄ１により幅広く吹出すことができる。このため、この床置き形空気調和機１では、吹出した空気を室内へ十分に行き届かせることができる。従って、室内の温度分布を改善し、室内の隅々まで空気調和を行うことができる。
【００５８】
上記の効果について、従来の床置き形空気調和機１００と本実施形態にかかる床置き形空気調和機１とにより室内の空気調和を行った場合の室内の温度分布をサーモグラフにより表示した比較データを図１０及び図１１に示す。図１０は暖房時のデータであり、図１１は冷房時のデータである。ここでは、各床置き形空気調和機１，１００は室内の角部分に壁Ｗ１，Ｗ２に対して４５度の角度で配置され、室内の中央へ向けて配置されている。また、図中の曲線は、同じ温度範囲にあるエリアを示しており、約０．７℃間隔に分けられている。
【００５９】
まず、図１０に基づいて、暖房時における温度分布を説明する。
【００６０】
図１０（ａ）は、従来型床置き形空気調和機１００による温度分布である。この従来型床置き形空気調和機１００では、図中の矢印Ａ８に示すように、部屋の一方向に向いて空気が吹出している。
【００６１】
室内の床Ｆ付近の温度分布については、同じ温度域の帯状のエリアが、空気の吹出し方向に交差して分布している。このうち最も暖かいエリアＴ１は、従来型床置き形空気調和機１００から最も離れた壁Ｗ３に沿って分布しており、床Ｆの面積の約２０％を占めいている。なお、このエリアＴ１は、３０．７℃以下３０．４℃以上の温度であり、図中、ハッチングを施してある。そして、この位置から従来型床置き形空気調和機１００側の壁Ｗ２へむけて、段階的に温度が低下している。従来型床置き形空気調和機１００が配置されている壁Ｗ１，Ｗ２のうち空気の吹出し方向に近い側の壁Ｗ１についても同様である。空気の吹出しに遠い側の壁Ｗ２では、上記の最も暖かいエリアＴ１よりも温度の低いエリアＴ２が、壁Ｗ２の面積のほとんどを占めている。また、床Ｆでは、エリアＴ１よりも温度の低いエリアＴ３がその面積の約半分を占めている。このデータから、従来型床置き形空気調和機１００では、吹出し口から吹出した暖房された空気は、空気の吹出し方向に位置する壁Ｗ３付近に偏って暖めていることがわかる。
【００６２】
図１０（ｂ）は、本実施形態にかかる床置き形空気調和機１による温度分布である。この床置き形空気調和機１では、図中の矢印Ａ９に示すように、横方向Ｄ１に異なる２つの方向に空気を吹出している。
【００６３】
まず、床Ｆ付近の温度分布については、図１０（ａ）のエリアＴ１の温度以上の温度のエリアＴ４が、床置き形空気調和機１が配置された２つの壁Ｗ１，Ｗ２に沿って、床置き形空気調和機１と反対側の壁Ｗ３，Ｗ４まで分布しており、床Ｆの面積の約５０％を占めている。このエリアＴ４のなかでも、床置き形空気調和機１が配置された２つの壁Ｗ１，Ｗ２付近が最も暖かい。そして、それぞれの壁Ｗ１，Ｗ２から部屋の中央部分に向けて段階的に温度が低下している。また、エリアＴ４とエリアＴ４よりも一段階低い温度のエリアとで、床Ｆの面積の約８０％を占めている。床置き形空気調和機１が配置されている側の２つの壁Ｗ１，Ｗ２の温度分布についても同様であり、エリアＴ１の温度以上の温度のエリアＴ５は、床置き形空気調和機１の吹出し口から床置き形空気調和機１が配置された２つの壁Ｗ１，Ｗ２の下方に沿って、床置き形空気調和機１と反対側の壁面まで広がっている。なお、図１０（ｂ）においては、図１０（ａ）においてハッチングを施した３０．７℃以下３０．４℃以上のエリアＴ１を基準として、この温度以上のエリアについて、同じパターンのハッチングを施している。このデータから、床置き形空気調和機１では、吹出し口から吹出した暖房された空気は、室内を左右から幅広く足元から暖めていることがわかる。
【００６４】
以上のように、本実施形態にかかる床置き形空気調和機１では、左右２方向の部屋の壁面から部屋の中央へ向けて、包み込むような空気の流れが実現されており、室内の温度分布が改善されていることがわかる。
【００６５】
次に、図１１に基づいて、冷房時における温度分布を説明する。
【００６６】
図１１（ａ）は、従来型床置き形空気調和機１００による温度分布である。この従来型床置き形空気調和機１００では、暖房時と同様に、部屋の一方向に向けて空気が吹出している。
【００６７】
床Ｆ付近の温度分布については、最も温度の低いエリアＴ６は、従来型床置き形空気調和機１００から最も離れた壁Ｗ３に付近の中央に分布している。なお、このエリアは、２２．１℃以上２２．８℃以下の温度域であり、床Ｆの面積の約１０％の面積を占める。そして、この位置から従来型床置き形空気調和機１００側の壁Ｗ２へむけて、段階的に温度が上昇している。従来型床置き形空気調和機１００が配置されている壁Ｗ１，Ｗ２のうち空気の吹出しに近い側の壁Ｗ１については、床Ｆ付近で最も温度の低いエリアＴ６以下の温度のエリアＴ７が天井に沿って分布しており、床Ｆに近づくにつれて温度が上昇している。床置き形空気調和機１００が配置されている壁Ｗ１，Ｗ２のうち空気の吹出しに遠い側の壁Ｗ２では、上記の床Ｆ付近で最も温度の低いエリアＴ６より温度が高いエリアＴ８がその面積のほとんどを占めている。このデータから、従来の床置き形空気調和機１００では、吹出し口から吹出した冷房された空気は、空気の吹出し方向に位置する壁の中央付近に偏って冷房していることがわかる。
【００６８】
図１１（ｂ）は、本実施形態にかかる床置き形空気調和機１による温度分布である。この床置き形空気調和機１では、暖房時と同様に、横方向に異なる２つの方向に空気を吹出している。
【００６９】
まず、床Ｆ付近の温度分布については、図１１（ａ）のエリアＴ６の温度以下のエリアＴ９が、床置き形空気調和機１が配置されている壁Ｗ２から床置き形空気調和機１と反対側の壁Ｗ３へ向けて分布しており、床Ｆの面積の約７５％を占めている。右側の壁Ｗ１は、図１１（ａ）のエリアＴ６の温度以下のエリアＴ１０よりも低い温度エリアＴ１０が、床置き形空気調和機１に近い側の横半分と残り半分の上部とに分布している。左側の壁Ｗ２に関しては、図１１（ａ）のエリアＴ６以下の温度のエリアＴ１１が、壁Ｗ２の面積のほぼ全部を占めている。なお、図１１（ｂ）においては、図１１（ａ）においてハッチングを施した２２．１℃以上２２．８℃以下のエリアＴ６を基準として、この温度以下の温度のエリアについて、同じパターンのハッチングを施している。このデータから、床置き形空気調和機１では、吹出し口から吹出した冷房された空気は、従来型空気調和機１００よりも幅広く広い範囲を冷房していることがわかる。
【００７０】
以上のように、本実施形態にかかる床置き形空気調和機１では、冷房時においても従来の床置き形空気調和機１よりも部屋全体を十分に冷房しており、室内の温度分布が改善されていることが分かる。
【００７１】
（２）本実施形態にかかる床置き形空気調和機１では、空気を吸込む吸込み部６が吹出し部５の下方に設けられている。このため、空気の吸込みにより生じる気流が空気の吹出しと衝突することがなく、空気の吹出しが阻害されない。従って、吹出した空気はより遠くまで行き届くことができる。これにより、床置き形空気調和機１では、室内全体により十分に空気を行き届かせることができる。
【００７２】
（３）本実施形態にかかる床置き形空気調和機１では、第１吹出し口５１と第２吹出し口５２とから左右方向Ｄ１の壁面に沿って空気が吹出す。すなわち、居住者がいる部屋の中央付近には直接空気を吹出さない。このため、この床置き形空気調和機１では、吹出した空気が直接居住者に当たることによる居住者の不快感を低減させることができる。
【００７３】
なお、中央へは直接空気を吹出さないとしても、上記の温度分布からも分かるように、壁面に沿って吹出した空気は、左右から部屋を包み込み、部屋の中央付近も十分に暖房あるいは冷房することができる。
【００７４】
（４）本実施形態にかかる床置き形空気調和機１では、ファン３は、吸込み部６と同様にケーシング４の下方に収容されており、吸込み部６の近傍に設けられている。このため、ファン３が吸込み部６から離れている場合と比べて吸込み部６から空気を吸込むために必要なファン３の能力を低減することが出来る。このため、ファン３にかかるコストを低減することができる。
【００７５】
（５）床置き形空気調和機１に配置されるファン３では、送風能力を増大させようとするとファン３の寸法、特に径方向の寸法が増大する。このため、床置き形空気調和機１のケーシング４が大型化し、室内において邪魔になることがある。特に、床置き形空気調和機１の厚さが増すと、部屋の居住空間へ床置き形空気調和機１が突き出て邪魔になる。しかし、本実施形態にかかる床置き形空気調和機１では、ファン３は正面と平行な面内で回転するように配置されているため、回転の径が増大しても床置き形空気調和機１の厚さ方向Ｄ３の寸法の増大を抑えることができる。このため、床置き形空気調和機１を薄型にすることが可能となっている。
【００７６】
〔第１吸込み口６１と第２吸込み口６２とに関する特徴〕
本実施形態にかかる床置き形空気調和機１では、第１吸込み口６１と第２吸込み口６２とをそれぞれ構成する開口６３，６４，６５は、図４に示すように、上下方向Ｄ２に並んで配置されており、開口６３は、側面のファン３よりも高い位置に配置され、開口６４，６５は、ファン３より低い位置に配置されている。すなわち、第１吸込み口６１と第２吸込み口６２とは、ファン３に対向しない位置に配置されている。このため、吸込み口の開口がファン３に対向して設けられている場合と比べて、開口から室内へと漏れるファン３の音を低減することができる。また、居住者が誤って開口から手を入れた場合、ファン３が回転しているため、手を巻き込まれるなどして危険である。しかし、本実施形態にかかる床置き形空気調和機１では、ファン３の真正面には開口が設けられていないため、居住者が開口に手を入れたとしてもファン３に手が巻き込まれることを防止することができ、安全である。
【００７７】
また、第１吸込み口６１と第２吸込み口６２とに加えて、側面４７に側面吸込み口６６，６７が設けられているため、より多くの空気を吸込むことができる。そして、側面吸込み口６６，６７は側面４７に設けられているため、側面吸込み口６６，６７から漏れるファンの音は、通常居住空間となっている正面方向へは直接届き難くなっている。さらに、正面から見た床置き形空気調和機１の美観を損なう恐れも少ない。
【００７８】
〔垂直フラップ部８に関する特徴〕
本実施形態にかかる床置き形空気調和機１では、フラップ角度変更機構８１により垂直フラップ８０の配置角度を変更することにより、空気が吹出す方向を変更することができる。このため、床置き形空気調和機１が配置される場所に応じて、室内に空気を行き届かせるのに最適な方向に空気を吹出すことができる。すなわち、床置き形空気調和機１が配置される場所に応じて、垂直フラップ８０の角度の広狭を変更して、室内の壁に沿った吹出しを行うことにより、上述した温度分布データに現れたような左右から部屋全体を包み込むような空気の吹出しをより効果的に実現することができる。
【００７９】
〔ケーシング４の背面の面取りに関する特徴〕
床置き形空気調和機１を室内の角部分に部屋の中央方向付近へむけて配置する場合（図９（ａ）参照）、床置き形空気調和機１の背面４０と部屋の壁面との間に隙間が生じる。この隙間が大きくなると床置き形空気調和機１が室内の居住空間へと突き出し、居住空間を狭めてしまう。しかし、本実施形態にかかる床置き形空気調和機１では、室内の角部に配置する場合に室内の壁面と接触する背面４０の角４２が面取りされているため、室内の角部により近い位置に床置き形空気調和機１を配置することができ、上記の隙間を小さくすることができる。このため、床置き形空気調和機１は、室内の角部分に収まりよく配置することができる。また、これらの効果から居住者に製品の厚みをさらに薄く感じさせることができる。
【００８０】
〔分配ガイド９に関する特徴〕
（１）本実施形態にかかる床置き形空気調和機１では、分配ガイド９が、第１吹出し口５１と第２吹出し口５２とに均等に空気を分配する。このため、この床置き形空気調和機１では、第１吹出し口５１と第２吹出し口５２とから吹出す空気の風量を均等にすることができる。これにより、この床置き形空気調和機１では、吹出す空気の風量の偏りを低減させることができる。従って、室内において左右により均一な温度分布を実現することができ、居住者にとってより快適な室内環境を作り出すことができる。なお、本実施形態にかかる床置き形空気調和機１では、第１吹出し口５１と第２吹出し口５２とが横方向Ｄ１に距離を隔てて配置されているため、分配ガイド９による風量の均一化の効果は、本実施形態にかかる床置き形空気調和機１において特に効果的である。
【００８１】
（２）本実施形態にかかる床置き形空気調和機１では、分配ガイド９は、断熱性の材料で形成され、熱交換器２と前面パネル４３との間に配置される。このため、分配ガイド９は、床置き形空気調和機１の外部と内部との間での熱の出入りを低減することができ、断熱材を兼ねることができる。これにより、この床置き形空気調和機１では、専用の断熱材を省略することができ、部品点数の削減を図ることができる。
【００８２】
〔水平フラップ部７に関する特徴〕
（１）本実施形態にかかる床置き形空気調和機１では、サブフラップ７１は、暖房時においては各吹出し口５１，５２の上部Ｓ１からの吹出しを制限する。このため、床置き形空気調和機１では、より低い位置からの空気の吹出し量が増大し、部屋の床Ｆに近い位置がよく暖められる。このことは、前述した図１０（ｂ）における壁面の温度分布からも明らかである。そして、吹出した暖かい空気は、床置き形空気調和機１の下方から部屋の上方へ上昇するため、部屋の低い位置から高い位置までの広い範囲を暖めることができる。これにより、この床置き形空気調和機１では、室内の暖房時の温度分布を向上させることができる。
【００８３】
なお、本実施形態にかかる床置き形空気調和機１では、下方のファン３から上方の吹出し口へと空気が送られるため、ケーシング４内における空気の流れは上向きである。このため、吹出し口から吹出す空気は、上方に向けて吹出しやすい。従って、本実施形態においては、上方への吹出しを制限する水平フラップの効果はより高いといえる。
【００８４】
（２）本実施形態にかかる床置き形空気調和機１では、サブフラップ７１が、メインフラップ７０が下方向に湾曲した場合にそのメインフラップ７０とそのメインフラップ７０に隣接するメインフラップ７０との間を閉じる。このため、空気の吹出しを制限したい吹出し口のメインフラップ７０に、このサブフラップ７１を設けることにより、吹出しの制限を行うことができる。これにより、別途、吹出しの制限用の制御機構等を設けることなくメインフラップ７０の動きを利用することにより吹出し口の一部を閉じることができる。そして、サブフラップ７１は、メインフラップ７０の先端に対して鈍角をなすように設けられているため、メインフラップ７０が上方向へ湾曲しサブフラップ７１が吹出し口の一部を開いているときは、サブフラップ７１はメインフラップ７０の湾曲に滑らかに沿った状態となる（図８参照）。このため、サブフラップ７１は、メインフラップ７０に案内される空気を妨げることを防止している。
【００８５】
（３）本実施形態にかかる床置き形空気調和機１では、暖房時に下向きに温風が吹出す場合には、サブフラップ７１が各吹出し口５１，５２の上部Ｓ１を閉じている。従って、温風は低い位置から吹出すので、温風が直接居住者へ当たることが防止されている。これにより、ドラフトによる居住者の不快感が低減している。
【００８６】
［第２実施形態］
第１実施形態にかかる床置き形空気調和機１では、サブフラップ７１は、各吹出し口５１，５２の上部Ｓ１のメインフラップ７０に設けられており、メインフラップ７０が下方へと湾曲した場合に、隣接するメインフラップ７０との間を閉じる。しかし、サブフラップ７１を各吹出し口５１，５２の下部Ｓ３のメインフラップ７０に設けて、メインフラップ７０が上方へと湾曲した場合に隣接するメインフラップ７０との間を閉じるようにしてもよい。冷房時においては、冷たい空気を上方へ吹き出すために、メインフラップ７０を上方へと向ける。このメインフラップ７０の動きに連動して、サブフラップ７１が隣接するメインフラップ７０との間を閉じる。これにより、冷房時には、各吹出し口５１，５２の下部Ｓ３からの吹出しを制限することができ、高い位置からの空気の吹出しを行うことができる。これにより、冷房時における室内の温度分布をより改善することができる。なお、この場合、サブフラップ７１は、メインフラップ７０の下側に設けるとよい。これにより、メインフラップ７０が下方に湾曲した場合に、サブフラップ７１がメインフラップ７０の湾曲に沿った状態になり、下方からの吹出しを妨げる恐れが少なくなる。
【００８７】
また、各吹出し口５１，５２の上部Ｓ１と下部Ｓ３との両方のメインフラップ７０にサブフラップ７１を設けてもよい。これにより、冷房時と暖房時との両方において、室内の温度分布をより改善することができる。
【００８８】
［参考例１］
第１実施形態にかかる床置き形空気調和機１では、ファン３は、正面と平行な面内で回転するように１台配置されているが、図１２に示す床置き形空気調和機１０１のように、２台のシロッコファン３３を、下方の第１吸込み口６１と第２吸込み口６２との近傍に、横方向Ｄ１に平行な軸を中心に回転するように、すなわちケーシング４の側面４７に平行な面内で回転するようにそれぞれ配置してもよい。
【００８９】
ファンでは、送風能力を増大させようとすると回転の径が増大することが多いが、この床置き形空気調和機１０１では、側面４７に平行な面内で回転するシロッコファン３３が設けられているため、回転の径が増大しても床置き形空気調和機１０１の横方向Ｄ１の寸法の増大は僅かである。このため、この床置き形空気調和機１０１では、横方向Ｄ１に複数のシロッコファン３３を設けることが容易であり、複数のシロッコファン３３を設けることにより、１つあたりのシロッコファン３３に必要とされる能力を低減することができる。
【００９０】
また、側面４７に平行な面内で回転するため、シロッコファン３３により送られる空気の流れが左右方向Ｄ１に偏ることが少ない。このため、第１吹出し口５１と第２吹出し口５２とからの吹出す空気の風量を容易に均等にすることができる。従って、第１実施形態にかかる床置き形空気調和機１の分配ガイド９を設けなくてもよい。
【００９１】
［参考例２］
第１実施形態にかかる床置き形空気調和機１では、各吸込み口６１，６２は、各吹出し口５１，５２の下方にそれぞれ設けられているが、吸込み口をケーシング４の上半分に設けて、吸込み口と各吹出し口５１，５２とを同じ高さに配置してもよい。以下、参考例から第５参考例までの床置き形空気調和機１０２，１０３，１０４，１０５においては、吸込み口は、各吹出し口５１，５２と同じ高さに配置されている。
【００９２】
参考例２にかかる床置き形空気調和機１０２は、図１３（ａ）に示すように、前面４１には第１吸込み口６１ａと第２吸込み口６２ａとが設けられており、第１クロスフローファン３４ａと第２クロスフローファン３４ｂと熱交換器２０とを有する。他の部分については、第１実施形態にかかる床置き形空気調和機１と同様である。
【００９３】
第１吸込み口６１ａは、高さ方向Ｄ２に長い形状を有する開口であり、第１吹出し口５１の右側に第１吹出し口５１に沿って設けられている。第２吸込み口６２ａは、第１吸込み口６１ａと同様の形状であり、第２吹出し口５２の左側に第２吹出し口５２に沿って設けられている。第１吸込み口６１ａと第２吸込み口６２ａとの間には、前面パネル４３が位置している。
【００９４】
第１クロスフローファン３４ａは、第１吹出し口５１と第１吸込み口６１ａとの近傍に設けられており、高さ方向Ｄ２と平行な軸を中心に回転する。第２クロスフローファン３４ｂは、第２吹出し口５２と第２吸込み口６２ａとの近傍に設けられており、高さ方向Ｄ２と平行な軸を中心に回転する。
【００９５】
熱交換器２０は、Ｖ字型の断面形状を有する高さ方向Ｄ２に長い部材であり、ケーシング４の上半分に設けられている。熱交換器２０は、第１クロスフローファン３４ａと第２クロスフローファン３４ｂとの間に、Ｖ字の頂点２１を背面側４０に向けて配置されている。
【００９６】
この床置き形空気調和機１０２では、各吸込み口６１ａ，６２ａ、熱交換器２０、各吹出し口５１，５２が上部に集まって収容されており、吸い込みから吹き出しまで空気が移動する距離が短くなっている。このため、各クロスフローファン３４ａ，３４ｂに必要な能力を低減することができる。また、クロスフローファンを利用しているため、シロッコファンやターボファン等を使用する場合と比べてファンを駆動するモータの能力も低減するためモータにかかるコストが低い。また、ファンにかかるコストも低い。
【００９７】
さらに、第１吹出し口５１と第２吹出し口５２とにそれぞれに１台ずつファン３４ａ，３４ｂが設けられているため、左右の吹出し口において、風量の偏りが少ない。また、第１吹出し口５１と第２吹出し口５２とから吹出す空気の風量をそれぞれ個別に制御する事も容易である。このため、より快適な温度分布を実現する空気の吹出しを容易に行うことができる。
【００９８】
［参考例３］
参考例３にかかる床置き形空気調和機１０３は、図１３（ｂ）に示すように、前面４１には第１吸込み口６１ｂと第２吸込み口６２ｂとが設けられており、１台のターボファン３５と熱交換器２２とを有する。他の部分については、第１実施形態にかかる床置き形空気調和機１と同様である。
【００９９】
第１吸込み口６１ｂと第２吸込み口６２ｂとについては、参考例２にかかる床置き形空気調和機１０２の吸込み口６１ａ，６２ａと同様である。
【０１００】
ターボファン３５は、ケーシング４の上部に設けられており、各吹出し口５１，５２と各吸込み口６１ｂ，６２ｂとの近傍に位置する。ターボファン３５は、正面に平行な面内で回転するように配置されている。
【０１０１】
熱交換器２２は、長方形の板状の部材であり、ケーシング４の上半分に、ターボファン３５と前面パネル４３との間に設けられている。
【０１０２】
この床置き形空気調和機１０３では、正面と平行な面内で回転するターボファン３５を備えているため、厚さ方向Ｄ３の寸法の増大を抑制すると共に十分な静圧を得ることができる。
【０１０３】
［参考例４］
参考例４にかかる床置き形空気調和機１０４は、図１３（ｃ）に示すように、前面４１には第１吸込み口６１ｃと第２吸込み口６２ｃとが設けられており、３台のシロッコファン３６と熱交換器２３とを有する。他の部分については、第１実施形態にかかる床置き形空気調和機１と同様である。
【０１０４】
第１吸込み口６１ｃと第２吸込み口６２ｃとについては、参考例２にかかる床置き形空気調和機１０２の吸込み口６１ａ，６２ａと同様である。
【０１０５】
３台のシロッコファン３６は、ケーシング４内の上方に高さ方向Ｄ２に３台並んで設けられている。シロッコファン３６は、高さ方向Ｄ２に平行な軸を中心に回転する。
【０１０６】
熱交換器２３は、シロッコファン３の側方を囲むように、左右それぞれ１台ずつ、合計２台が設けられている。
【０１０７】
この床置き形空気調和機１０４では、シロッコファン３６を３台備えているため、１つあたりのシロッコファン３６に必要な能力を低減することができる。このため、シロッコファン３６の大きさを低減することができる。さらに、シロッコファン３６は高さ方向Ｄ２に並んで備えられているため、この床置き形空気調和機１０４では、横方向Ｄ１および厚さ方向Ｄ３の寸法を低減することができる。
【０１０８】
［参考例５］
参考例５にかかる床置き形空気調和機１０５は、図１３（ｄ）に示すように、前面４１には第１吸込み口６１ｄと第２吸込み口６２ｄとが設けられており、１台のクロスフローファン３７と熱交換器２４とを有する。他の部分については、第１実施形態にかかる床置き形空気調和機１と同様である。
【０１０９】
第１吸込み口６１ｄと第２吸込み口６２ｄとについては、参考例２にかかる床置き形空気調和機１０２の吸込み口６１ａ，６２ａと同様である。
【０１１０】
クロスフローファン３７は、ケーシング４内の上方に第１吹出し口５１の近傍から第２吹出し口５２の近傍にかけて設けられる。クロスフローファン３７は、高さ方向Ｄ２に長い円筒形状を有しており、高さ方向Ｄ２に平行な軸を中心に回転する。
【０１１１】
熱交換器２４は、Ｖ字型の断面形状を有する高さ方向Ｄ２に長い部材であり、ケーシング４内の上方に設けられている。熱交換器２４は、クロスフローファン３７を囲むように、Ｖ字の頂点２５をケーシング４の前面４１側に向けて配置されている。
【０１１２】
この床置き形空気調和機１０５では、１つのクロスフローファン３７が備えられているため、例えば、ターボファンやシロッコファンを備える場合と比べて、ファンを駆動するモータの能力を低減することができ、モータにかかるコストが低減する。
【０１１３】
［参考例６］
第１実施形態にかかる床置き形空気調和機１では、ファン３は正面と平行な面内で回転するように１台配置されているが、図１４に示すように、２台のクロスフローファン３８ａ，３８ｂを、ケーシング４の上方に設けられた第１吹出し口５１と第２吹出し口５２との近傍に設けてもよい。２台のクロスフローファン３８ａ，３８ｂの配置や熱交換器２０の形状についての詳細は、参考例２にかかる床置き形空気調和機１０２と同様である。
【０１１４】
この床置き形空気調和機１０６では、２台のクロスフローファン３８ａ，３８ｂが各吹出し口５１，５２の近傍に設けられている。このため、クロスフローファン３８ａ，３８ｂから各吹出し口５１，５２へと送られる空気の移動距離が短くなっている。ファンの回転方向によりファンから送られる空気の流れに偏りが生じる場合、ファンから遠ざかるほど空気の流れの偏りが大きくなることがある。しかし、この床置き形空気調和機１０６では、クロスフローファン３８ａ，３８ｂから各吹出し口５１，５２へと送られる空気の移動距離が短くなっているため、各吹出し口５１，５２から吹出す空気の流れの偏りが小さくなっている。
【０１１５】
さらに、各吹出し口５１，５２にそれぞれ１台ずつのクロスフローファン３８ａ，３８ｂが設けられているため、左右方向Ｄ１の空気の流れの偏りは小さい。また、各吹出し口５１，５２から吹出す空気の風量をそれぞれ個別に制御することも容易である。このため、より快適な温度分布を実現することができる空気の吹出しを行うことができる。
【０１１６】
なお、各吸込み口６１，６２と各クロスフローファン３８ａ，３８ｂとの距離が遠くなるために、各クロスフローファン３８ａ，３８ｂの空気を吸込む力が不足する恐れがある場合には、各吸込み口６１，６２の近傍に室内から空気を吸込み上方へ送る補助ファンを設けるとよい。これによれば、空気を吸込む力の不足を解消することができる。また、空気を吸込む力の不足を解消するために各クロスフローファン３８ａ，３８ｂの能力を上げることによる各クロスフローファン３８ａ，３８ｂの大型化を防止することもできる。
【０１１７】
また、ケーシング４の上方に設けられた第１吹出し口５１と第２吹出し口５２との近傍に設けられるファン及び熱交換器は、クロスフローファン３８ａ，３８ｂ及び熱交換器２０に限らず、図１３（ｂ）に示す参考例３にかかる床置き形空気調和機１０３のターボファン３５及び熱交換器２２、図１３（ｃ）に示す参考例４にかかる床置き形空気調和機１０４のシロッコファン３６及び熱交換器２３、図１３（ｄ）に示す参考例５にかかる床置き形空気調和機１０５のクロスフローファン３７及び熱交換器２４であってもよい。
【０１１８】
【発明の効果】
請求項１に記載の床置き形空気調和機では、分配ガイドは第１吹出し口と第２吹出し口とに概ね均等に空気を分配する。このため、この床置き形空気調和機は、第１吹出し口と第２吹出し口とから吹出す空気の風量を概ね均等にすることができる。これにより、この床置き形空気調和機では、第１吹出し口と第２吹出し口とにおいて吹出す空気の風量の偏りを低減させることができる。
【０１１９】
特に、第１吹出し口がファンの回転方向側に配置され、第２吹出し口がファンの回転方向と反対側に配置されると、ファンの回転による空気の流れの傾きのため、ファンから送られる空気は第１吹出し口へ送られやすい。そこで、この床置き形空気調和機では、分配ガイドにより、第１通風経路と第２通風経路とが、第２通風経路の入口が第１通風経路の入口より広くなるように形成される。このため、第２通風経路には、第１通風経路よりも空気が入り易くなる。また、第２通風経路には、送られる空気が少ない側に配置される第２吹出し口へと送られる空気が通る。しかし、上記のように、第２通風経路には第１通風経路よりも空気が入り易くなるため釣り合いが取られて、第１吹出し口と第２吹出し口とから吹出す空気の風量を概ね均等にすることができる。
【０１２０】
請求項２に記載の床置き形空気調和機では、分配ガイドの頂点が下方に行くにつれて第２吹出し口側から第１吹出し口側へと傾斜する。このため、ファンから送られる空気の流れの上流において、第１吹出し口側では空気が案内されにくくなり、第２吹出し口側では逆に空気が案内されやすくなっている。これにより、この床置き形空気調和機は、ファンから送られる空気の風量の釣り合いを分配ガイドによりとり、第１吹出し口と第２吹出し口とから吹出す空気の風量を概ね均等にすることができる。
【０１２１】
請求項３に記載の床置き形空気調和機では、分配ガイドの頂点は、下方すなわちファンから送られる空気の上流に行くにつれて、第２吹出し口側から前記第１吹出し口側へと頂点が傾斜する。このため、上流において、第１吹出し口側では空気が案内されにくくなり、第２吹出し口側では逆に空気が案内されやすくなっている。これにより、この床置き形空気調和機は、ファンから送られる空気の風量の釣り合いを分配ガイドによりとり、第１吹出し口と第２吹出し口とから吹出す空気の風量を概ね均等にすることができる。
【０１２２】
請求項４に記載の床置き形空気調和機では、分配ガイドは、断熱性の材料で形成され、熱交換器と前面パネルとの間に配置される。このため、分配ガイドは、床置き形空気調和機の外部と内部との間での熱の出入りを低減することができる。これにより、この床置き形空気調和機では、分配ガイドが断熱材を兼ねることができ、部品点数の削減を図ることができる。
【図面の簡単な説明】
【図１】  第１実施形態にかかる床置き形空気調和機の外観の正面図。
【図２】  床置き形空気調和機の構成を示す正面図。
【図３】  床置き形空気調和機の構成を示す上面図。
【図４】  床置き形空気調和機の構成を示す側面図。
【図５】  水平フラップ部の構成を示す正面図。
【図６】  水平フラップ部の構成を示す側面図。
【図７】  下向きに空気を吹出す場合のサブフラップの状態を示す図。
【図８】  上向きに空気を吹出す場合のサブフラップの状態を示す図。
【図９】  （ａ）床置き形空気調和機の配置パターンを示す図。（ｂ）床置き形空気調和機の配置パターンを示す図。（ｃ）床置き形空気調和機の配置パターンを示す図。
【図１０】  （ａ）従来型床置き形空気調和機による暖房時の室内の温度分布を示す図。（ｂ）第１実施形態にかかる床置き形空気調和機による暖房時の室内の温度分布を示す図。
【図１１】  （ａ）従来型床置き形空気調和機による冷房時の室内の温度分布を示す図。（ｂ）第１実施形態にかかる床置き形空気調和機による冷房時の室内の温度分布を示す図。
【図１２】  参考例１にかかる床置き形空気調和機の図。
【図１３】  （ａ）参考例２にかかる床置き形空気調和機の図。（ｂ）参考例３にかかる床置き形空気調和機の図。（ｃ）参考例４にかかる床置き形空気調和機の図。（ｄ）参考例５にかかる床置き形空気調和機の図。
【図１４】  参考例６にかかる床置き形空気調和機の図。
【図１５】  従来の床置き形空気調和機の図。
【符号の説明】
１              床置き形空気調和機、
２              熱交換器
３              ファン
５              吹出し部
９              分配ガイド
３０            ファンケーシング
３１            ファンケーシング出口
４３            前面パネル
５１            第１吹出し口
５２            第２吹出し口
９１            第１ガイド面
９２            第２ガイド面
９３            頂点
Ｄ１            横方向
Ｆ              床
Ｐ１            第１通風経路
Ｐ２            第２通風経路
【図１】
0004354673.tif 000002
【図２】
0004354673.tif 000003
【図３】
0004354673.tif 000004
【図４】
0004354673.tif 000005
【図５】
0004354673.tif 000006
【図６】
0004354673.tif 000007
【図７】
0004354673.tif 000008
【図８】
0004354673.tif 000009
【図９】
0004354673.tif 000010
【図１０】
0004354673.tif 000011
【図１１】
0004354673.tif 000012
【図１２】
0004354673.tif 000013
【図１３】
0004354673.tif 000014
【図１４】
0004354673.tif 000015
【図１５】
0004354673.tif 000016